(57)【特許請求の範囲】
【請求項１】
別途充填した内容物を放出する押しボタン付閉止栓であって、
容器の首部分（４）に捻じ込むかあるいは押し込むスリーブ管（３）と、
このスリーブ管（３）に押し込むか、あるいはヒンジ（１６）を中心として前記スリーブ管（３）に向けて下方に回動し得る付属の閉止キャップ（１）とを具え、
別途作製され内容物を充填可能な容器（２）が、前記スリーブ管（３）の中に装填され、突通切開し得る密閉用フォイル（１９）を用いてその下面が密封されており、
当該閉止栓は、二つの構成部品のみ、すなわち、上向きに突出する複数の刃（１４）を有する破砕具（１３）を下側に設け、閉止キャップ（１）にヒンジを介して結合され、一方の側の第１の構成要素として共通するスリーブ管（３）と、内容物を充填且つ反対側を密閉用フォイル（１９）で密封し、第２の構成要素として別途作製された容器（２）と、で構成されており、
前記閉止キャップ（１）が、キャップ蓋を具え、このキャップ蓋が、変形する外側環状リング（１２）を具えており、変形すると前記閉止キャップ（１）の軸線方向において反転すること無く下向きに押すことができる押込ディスク（７）を形成し、押込ディスク（７）の内側に前記閉止キャップ（１）の軸線方向に延びて受け鞘（１５）が形成され、前記容器（２）の前記密閉用フォイル（１９）とは逆側が前記受け鞘（１５）の中に装填され、そして、前記密閉用フォイル（１９）が下側にある状態で、前記容器（２）を前記閉止栓の前記スリーブ管（３）の中に装填することができ、前記受け鞘（１５）が軸線方向に移動可能であり、前記受け鞘（１５）が、装填された前記容器（２）に対するガイド部材として機能するよう構成され、
閉じられた前記閉止キャップ（１）の前記キャップ蓋を押し下げることで、前記密閉用フォイル（１９）が下方を向いた状態で、装填された前記容器（２）が下方に押し付けられる結果、前記スリーブ管（３）の下側で前記破砕具（１３）に前記密閉用フォイル（１９）を押し付けて、前記容器（２）の前記密閉用フォイル（１９）が突通切開し、前記容器（２）の内容物が滴下することを特徴とする閉止栓。
【請求項２】
請求項１に記載の別途充填された内容物を放出する押しボタン付閉止栓において、
閉止キャップ（１）のキャップ蓋が、上向きに湾曲した変形可能なドームを形成しており、当該ドームを上から押して下向きに湾曲したドームに変形させることによって、スリーブ管（３）の中に装填された容器（２）を下方に押すことを特徴とする閉止栓。
【請求項３】
請求項１又は２に記載の別途充填された内容物を放出する押しボタン付閉止栓において、
閉止キャップ（１）が、ヒンジ（１６）を介してスリーブ管（３）に一体的に形成されたヒンジ蓋であり、スリーブ管（３）の上に向けて下方に回動し、スナップ式メカニズムで留まることを特徴とする閉止栓。
【請求項４】
請求項１乃至３のいずれか１項に記載の別途充填した内容物を放出する押しボタン付閉止栓において、
破砕具（１３）が、破砕具（１３）に回動可能に結合して前記スリーブ管（３）の中央に向って放射状に延びた梃子を具え、当該梃子の力棹が、破砕具（１３）の上に外側に放射状に突き出ており、別途充填した容器（２）の外側の下縁によって動作可能であり、破砕具（１３）の内部に突出した作用棹が、切開された密閉用フォイル（１９）を上に向かって折り曲げるように、上方に向きを変えることを特徴とする閉止栓。
【請求項５】
別途充填した内容物を放出する押しボタン付閉止栓であって、
容器の首部分（４）に捻じ込むかあるいは押し込むスリーブ管（３）と、
このスリーブ管（３）に押し込むか、あるいはヒンジ（１６）を中心として前記スリーブ管（３）に向けて下方に回動し得る付属の閉止キャップ（１）と、を具え、
別途作製され内容物を充填可能な容器（２）が、前記スリーブ管（３）の中に装填され、突通切開し得る密閉用フォイル（１９）を用いてその下面が密封されており、
前記閉止キャップ（１）のキャップ蓋が、上方からに押して下向きに湾曲したドームを形成する上向きに湾曲した変形可能なドームであり、これにより、前記スリーブ管（３）の中に装填された前記容器（２）を下方に押し、それとともに、前記容器（２）に内蔵された硬質の破砕エレメント（８）を下方に押して、前記容器（２）の前記密閉用フォイル（１９）を前記密閉用フォイル（１９）の内側から突通切開することを特徴とする閉止栓。
【請求項６】
請求項５に記載の別途充填された内容物を放出する押しボタン付閉止栓において、
閉止キャップ（１）が、ヒンジ（１６）を介してスリーブ管（３）に一体的に形成されたヒンジ蓋であり、スリーブ管（３）の上に向けて下方に回動し、スナップ式メカニズムで留まることを特徴とする閉止栓。
【発明の詳細な説明】
【技術分野】
【０００１】
この発明は、栓の内部に装填された小型容器の内容物を、押しボタンによって放出できる閉止栓に係るものであり、液体等を別途充填した小型容器を開けて、閉止栓を装着した瓶等の容器本体にその内容物を流し込むことができる。今日では、多くの飲料は濃縮液を水と混ぜることによって作られるが、希釈混合済みのものを配送するのではなく、瓶詰め業者のもとでは水を入れるだけで済むようにしておき、消費者の手に渡った後で瓶を最初に開栓する際に濃縮液を瓶中の水に追加混合するようにしておけば、遥かに効率が良い。
【背景技術】
【０００２】
別の液体を注ぎ足す公知の解決手段は、合成樹脂製の注ぎ足し栓とこれを取付けた容器の首部分からなるものであり、この装置は、ネジ切りしたキャップと、内容物を別途充填可能でフォイルによって密封したカプセル、すなわち内容物を充填した後に密封して装填したカプセルと、この用途に合った容器の首部分とによって構成される。フォイルで密封したカプセルは、首部分の中に下向きに保持される。首部分に被せたキャップは首部分の内側に突出していて、首部分下側の縁は破砕具を具えており、合成樹脂製の注ぎ足し栓を最初に開栓する時にカプセル下端の密閉用フォイルを開けられるようになっており、カプセルに封入された内容物が容器本体の中に流下する。ネジ切りしたキャップは、反時計回り方向すなわちキャップを緩める方向に回転させると、先ず、首部分の上で下方に押され、これによってカプセルのフォイルが破砕具の上に押し当たって切り開かれる一方、首部分に被さったキャップはストッパに当たる。ネジ切りしたキャップを更に緩める方向に回すと、これに従って首部分も回ろうとするが、首部分は容器スリーブに切られたネジ山に乗っているため、これを緩めて回すためにはより大きいトルクが必要となる。したがって、ネジ切りキャップを更に回転させると、ネジ切りしたキャップが首部分とその中の既に空になったカプセルとを一緒に動かして、栓全体が容器スリーブから捩じり外されることになる。この方式の巧みな点は、単一の操作、すなわちネジ切りキャップを緩める方向に連続して捩じって緩める操作しか必要としない点である。ここでは一連の動作が自動的に順次進められるが、この方式の欠点は、その構造と実施のコストが高い上に、左右両方に回るネジ山が必要になり、栓自体の組み付けにも問題がある。
【発明の概要】
【発明が解決しようとする課題】
【０００３】
本発明の課題は、内容物を別途充填したカプセルを装填して、その内容物を放出させる閉止栓を提供することであり、この閉止栓は製造も組み付けも容易であるが、単一の操作だけで行えないと云う点では目をつぶることになる。
【課題を解決するための手段】
【０００４】
この課題は、放出用の押しボタンが付いた閉止栓によって解決され、この閉止栓は、容器の首部分に捻じ込むかあるいは押し込んで固定するスリーブ管と、このスリーブ管に捩じり入れるかあるいはクリック式で向きを変えるようにした付属の閉止キャップとで構成され、密閉用フォイルによって下側が密封されている容器であって、内容物を別途充填した後にこのフォイルを突き刺すか切開できる容器をスリーブ管中に装填できる閉止栓であり、その特徴とするところは次のとおりである。閉止キャップは変形させて軸線方向下方に押し付けることができるキャップ蓋を具えており、このキャップ蓋を下方に押し付けることによって、スリーブ管内に装填されたカプセルあるいはカプセル内に内蔵された硬質の開封エレメントを下方に押し付けて、容器の密閉用フォイルを突き刺すか切開できる。
【図面の簡単な説明】
【０００５】
以下に説明する図面においては、この押しボタン付きの閉止栓の各種バリエーションが幾つかの図に示されている。これら図面に基づいて個々の閉止栓について言及し、その機能を解説する。
【図１】図１は、押しボタン付閉止栓を構成する各部品を、押し込み式の閉止キャップと共に、共通の軸線上に並べた分解斜視図である。
【図２】図２は、この閉止栓の回転軸に沿った断面図であり、別途充填した内容物の容器を装填した未開栓の状態を示す。
【図３】図３は、この閉止栓の回転軸に沿った断面図であり、別途充填した内容物の容器を開けた後の状態を示す。
【図４】図４は、スリーブ管部分に関節状のヒンジ式閉止キャップが付いている閉止栓を示す図であり、閉止キャップが開いており、中に入る容器は装填されていない状態を示す。
【図５】図５は、押込ディスクと、その下側に形成した受け鞘を有するキャップ蓋を取付けた閉止キャップの断面を示す図である。
【図６】図６は、図５に示す閉止キャップがスリーブ管に対して向きを変えて開いており、内容物を別途充填した容器を装填した状態を示す断面図である。
【図７】図７は、閉止キャップがスリーブ管に対して向きを変える前に、内容物を別途充填し、フォイルで密封された容器を装填した閉止栓を開ける瞬間を示す図である。
【図８】図８は、予め容器の中に同梱されている開栓子を押通すことによって、内容物を放出追加する閉止栓を示す図である。
【図９】図９は、図８に示す合成樹脂製の閉止栓を下から見た状態を示す図である。
【図１０】図１０は、図８に示す合成樹脂製の閉止栓に付属する破砕子を下から見た状態を示す図である。
【図１１】図１１は、図８に示す合成樹脂製の閉止栓によって内容物を放出追加するときの状態を示す図である。
【図１２】図１２は、図８に示す合成樹脂製の閉止栓から閉止キャップを取り外した状態を示す図である。
【発明を実施するための形態】
【０００６】
図１では、押しボタン付閉止栓を構成する各部品が分解された状態で示されている。ここで、先ず閉止キャップ１があり、これはスリーブ管３に押し込むようになっている。スリーブ管３自体は、ここでは瓶として示されている容器の首部分４に捻じ込むように構成されている。スリーブ管３には、別途内容物を個別に充填した小さな容器２が装填されるようになっていて、この容器は最初の開栓時に、下側に位置している容器、すなわちこの実施例においては瓶の中に、落下するようになっている。閉止キャップ１の上側には押しボタンとなる押込ディスク７が設けられており、この押込ディスクの周囲は変形可能な環状リング９で囲まれて、閉止栓１の外壁と連結されている。容器２は下側が密閉用フォイルで密封されていて、全体がスリーブ管３の内部に装填されるようになっている。スリーブ管３は、瓶の首部分４にネジ込まれる。スリーブ管の外側にフラット部分１０を設けて、閉止キャップ１の内側に形成されたリブがここに当たるようになっている。閉止キャップ１をスリーブ管３に押込むときに、このリブがスリーブ管３に当接して捩じれてしまうことを防止する。閉止キャップ１を強く回転させると、スリーブ管３が一緒に回転して、首部分４から捩り緩めることになる。しかし、閉止栓全体をこのように首部分４から取り外す前に、先ず内容物を容器２から瓶の中に流下させなければならない。ここでは、上から、先ず押込ディスク７が押される。この閉止栓を開栓するためには、先ず上から押し付けてから回すということになる。
【０００７】
図２は、閉止栓の断面を回転軸に沿って示す図であり、未開栓の状態を示す。この図から分かるように、スリーブ管３の内部に内容物を別途充填した小さな容器２が装填されている。押込ディスク７は容器２の上側に接している。押込ディスク７の周縁は、変形可能な部分１２を介して閉止キャップ１の外壁に連結されている。スリーブ管の下側には、容器２を、より具体的には密閉用フォイルを突き刺して切開する破砕具１３が配置されていて、これは上向きに突き出た刃１４を具えている。
【０００８】
図３は、押込ディスク７を押し込んだ後の状態を示す。押込ディスク７を取り巻く変形可能な部分１２がここで下方に落ち込んだ状態になり、押込ディスク７がスリーブ管３の内部で容器２を軸線に沿って下側に押し付けた結果、容器２の密閉用フォイル１９が破砕具１３の刃１４上に押し当てられて破れ、次いで容器２から内容物が瓶に向かって流下する。次いで、閉止キャップ１を緩める方向に回すと、スリーブ管３と共に容器の首部分４から外れる。
【０００９】
図４は、閉止キャップの蓋がヒンジ１６で支持されている閉止栓の実施例を示す図であり、キャップ蓋が開いて向きが変わった状態にあり、個別の容器は装填されていない状態である。キャップ蓋の下側に、受け鞘１５が押込ディスク７に連接形成されている。この受け鞘１５は、装填される追加注入用の内容物を充填した容器の上半部に合うように構成されている。スリーブ管３の内部には、装填する小さな容器２を固定する止具エレメント５がある。
【００１０】
図５は、一変形例を示す図であり、ここでは、図４の閉止キャップ１がヒンジ１６によって関節式に連結されている。同様に、押込ディスク７の下側には受け鞘１５が形成されている。スリーブ管３の下には、刃１４が付いた破砕具１３が見られる。受け鞘１５は、押込ディスク７を押し下げる際にディスクが正しく軸線方向に動くようにし、常に誤って傾けることがないようにする。受け鞘１５はスリーブ管３の中に装填された容器２と一体になってこれを強制的に案内して、押し下げる際に押込ディスク７を安定させる。
【００１１】
図６は、閉止キャップの断面を示す図であり、図５による閉止キャップ１はスリーブ管３から向きが変わって開いており、別途充填した内容物をフォイルで密封した容器２を装填した状態である。キャップ蓋はヒンジ１６でスリーブ管と連結されている。別途内容物を充填した容器２は閉止栓の内部に入っており、密閉用フォイル１９は破砕具１３の刃１４に対向している。ここでもキャップ蓋に押込ディスク７が組み込まれており、その周囲は蛇腹状の変形縁１２で支持されている。押込ディスク７の下には受け鞘１５が形成されており、キャップ蓋を戻して被せると、容器２の上半部に被さって容器を取り囲む。
【００１２】
図７は、押込ディスク７を押し下げる様子を示す図である。受け鞘１５は、別途内容物を充填した小さな容器２の上半部を囲んで、破砕具１３上に軸線に沿って小さな容器を確実に押し下げられるように構成されている。蛇腹状の変形縁１２は、押込ディスク７が押し下げられているため引き伸ばされている。
【００１３】
図８は、合成樹脂製の注入閉止栓である別の実施例が示されている。容器の首部分４の上側に、ネジ切りスリーブ３が被せられている。その下側は、首部分４の内部に嵌入する平滑なスカート３１が設けられており、下縁には捕獲用格子３２が取り付けられており、瓶の内部に突出している。平滑なスカート３１の上縁には、外側に放射状に広がるブリッジ３３が形成されており、その外側縁は下向きのエプロン３４となっており、これを用いてネジ切りスリーブ３が首部分４に押し込まれ、エプロン３４は首部分４の外側に密着する。ブリッジ３３の上には、同軸で上方に突出している、右回りの外ネジを切ったスリーブ３５が立ち上がっている。このスリーブ３５の上に、ネジ切りキャップ１を上被せて時計回り方向に回し入れる。ネジ切りキャップ１はその下側に、平滑なスカート３１に延入するパイプ１１を具えている。その内側は下が開いており、フォイル６で密封されているとともに、上はドーム状をなして上方向に湾曲しており、弱弾性のカプセル底２７を形成するカプセル２が装填されている。カプセル２は、ラッチまたはクランパで取り付けられている。ネジ切りキャップ１は同様に、ドーム状の上に向かって湾曲している弱弾性のキャップ底３０を具えており、キャップ底３０を外から指で押すことによって変形させると、圧接肢３７を有する硬質の破砕エレメント８がカプセル内部で下方に押し付けられ、カプセル２の密閉用フォイル６を突刺して切開する。ネジ切りスリーブ３の平滑なスカート３１の下側に成形されている捕獲格子３２は、破砕エレメント８が容器の中に落下することを防止する。破砕エレメント８は、捕獲格子３２側の鉤部分３６に引っ掛り、その後も落下しないようになっている。このようにカプセルの内容物が容器側に流下すると、ネジ切りキャップ１はパイプ１１ならびにその中のカプセル２と共にネジ切りスリーブ３から取り外され、容器が内容物を注ぎ出せる状態となる。
【００１４】
図９は、星型の捕獲格子３２が付いたネジ切りキャップ１を下から見た状態を示す図であり、図１０は破砕エレメント８を下から見た状態を示す。中央の圧接肢３７は、星型となってリングに連結されており、そこには破砕用の歯が形成されている。図１１は、この閉止栓の適用例を示している。すなわち、キャップの蓋中央のドーム状の膨らみ３０を押し下げることによって、内蔵されているカプセル２を開ける状態を図解している。破砕エレメント８のリングは、捕獲格子で鉤部分３６に引っ掛っている。図１２は、ネジ切りキャップ１と既に中身を空けて中に残ったカプセル２を取り外した状態を示している。破砕されたフォイル片６は、カプセル２から下に垂れ下っており、破砕エレメント８は捕獲格子３２に引っ掛って留まっている。
【図１】
0005388232.tif 000002
【図２】
0005388232.tif 000003
【図３】
0005388232.tif 000004
【図４】
0005388232.tif 000005
【図５】
0005388232.tif 000006
【図６】
0005388232.tif 000007
【図７】
0005388232.tif 000008
【図８】
0005388232.tif 000009
【図９】
0005388232.tif 000010
【図１０】
0005388232.tif 000011
【図１１】
0005388232.tif 000012
【図１２】
0005388232.tif 000013